(57)【要約】【課題】バックアップ用プラント運転制御装置への切替時に、通常のプラント運転とは異なる操作器のポジションとなっていた場合、プラント運転に支障を来たすという問題があった。【解決手段】操作器ポジション監視装置４を設け、プラント運転制御装置１およびバックアップ用プラント運転制御装置２から出力される操作器のポジションデータを保存すると共に表示装置４３に表示する。更に、プラント運転制御装置とバックアップ用プラント運転制御装置からの操作器ポジションが同じになった時、プラント運転制御装置からバックアップ用プラント運転制御装置に切り替える切替装置３に切替許可信号Ｓｋを出力する処理装置４４を設けて、プラント運転制御装置１からバックアップ用プラント運転制御装置２に切り替え時に操作器ポジションが通常運転状態以外となっていることを未然に防止する。【選択図】図１
2010102566.tif 000002
【特許請求の範囲】
【請求項１】
複数のプラント機器を操作する複数の操作器を有し、これら操作器のポジションのデータを出力するプラント運転制御装置およびバックアップ用プラント運転制御装置、前記プラント運転制御装置と前記バックアップ用プラント運転制御装置とを切り替える切替装置、前記プラント運転制御装置およびバックアップ用プラント運転制御装置から出力される前記操作器のポジションのデータを入力してその状態を監視する操作器ポジション監視装置を備え、前記操作器ポジション監視装置は、前記操作器のポジションデータを保存する保存部と、この保存部で保存したポジションデータを表示する表示装置と、前記プラント運転制御装置から前記バックアップ用プラント運転制御装置に切り替え時に、前記プラント運転制御装置からの操作器ポジションデータと前記バックアップ用プラント運転制御装置からの操作器ポジションデータが同じか相違するかを判定し、前記操作器のポジションデータが同じになった時、前記切替装置に切替許可信号を出力する処理装置とを備えたプラント運転装置。
【請求項２】
前記処理装置は操作器ポジションのデータが同じか相違するかの判定結果を前記表示装置に出力し、前記表示装置は前記判定結果を表示するようにした請求項１に記載のプラント運転装置。
【請求項３】
前記処理装置は操作器ポジションのデータが相違している操作器を抽出して前記表示装置に出力し、前記表示装置はポジションが相違している操作器を表示するようにした請求項１に記載のプラント運転装置。
【請求項４】
前記処理装置はポジションデータが相違している操作器を抽出すると共に、その抽出した操作器の重要度に応じて分類して前記表示装置に出力し、前記表示装置は重要度に応じて操作器を表示するようにした請求項１に記載のプラント運転装置。
【請求項５】
前記処理装置は重要度の高い操作器が抽出された場合、前記バックアップ用プラント運転制御装置に設けた警報手段に警報信号を出力するようにした請求項４に記載のプラント運転装置。
【請求項６】
前記処理装置は切替許可信号を出力した場合、前記バックアップ用プラント運転制御装置に設けた表示部に表示するようにした請求項１〜５のいずれか１項に記載のプラント運転装置。
【請求項７】
前記プラント運転制御装置の操作器は操作スイッチをソフトウェア構成とし、前記バックアップ用プラント運転制御装置の操作器は操作スイッチをハードウェア構成とした請求項１〜６のいずれか１項に記載のプラント運転装置。
【発明の詳細な説明】
【技術分野】
【０００１】
この発明は、原子力プラントや発電プラントなどの各種プラント機器を制御すると共に監視するプラント運転装置に関するもので、特に通常用のプラント運転制御装置とバックアップ用のプラント運転制御装置とを備えたプラント運転装置に関するものである。
【背景技術】
【０００２】
従来のプラント監視制御装置では、制御器の制御状態（制御中、待機中、保持中など）と制御対象種別（温度制御、圧力制御など）を操作器内のガイダンス表示器に切替表示することにより、制御器の制御状態と制御対象種別とを的確に把握する手段を備えたものがある（特許文献１参照）。
また、従来のプラント監視制御装置では、表示装置の表裏両面に形成した各表示画面が格別の内部処理回路によって、共通の画面表示を行うようになっており、一方の表示画面に対する内部処理回路が故障した場合でも、他方の表示画面による同一の画面監視ならびに信号入力操作が継続可能なものであり、表面側の表示画面と裏面側の表示画面との相互バックアップが可能となる手段を設けたものがある（特許文献２参照）。
【０００３】
また、従来のプラント監視制御装置では、操作対象機器側のテレコンと通信を行うための伝送部と、営業所、制御所、バックアップ制御所などに設置されている上位の計算機と通信ネットワークを介して通信を行うための伝送部と、ＣＰＵによってデータ処理を実行する処理部とを設けた操作支援システムがある（特許文献３参照）。
【０００４】
【特許文献１】特開２０００−８９８１９号公報（図２、図４、図８）
【特許文献２】特開２００１−１１７６３２号公報
【特許文献３】特開２００８−１２３１１８号公報（図８）
【発明の開示】
【発明が解決しようとする課題】
【０００５】
従来のプラント監視制御装置では、個々の機器のバックアップや切替え表示に関して構成されたものはあるが、プラント運転制御装置の故障に対してバックアップ用のプラント運転制御装置を設けることはあまり考慮されていない。
プラント運転装置においては、プラント運転中にプラント運転制御装置の故障が発生した場合に、プラント運転を継続するためバックアップ用のプラント運転制御装置を設けることが重要となってきている。
【０００６】
このようにバックアップ用のプラント運転制御装置を設けた場合、プラント運転中にプラント運転制御装置に故障が発生し、プラント運転制御装置をバックアップ用のプラント運転制御装置に切り替えした場合、通常のプラント運転状態では無効となっていたプラント機器の操作器のポジション（起動／停止、開／閉など）が有効となっている場合がある。このようにプラント運転制御装置の切り替えにより、通常のプラント運転とは異なる操作器のポジションとなっていた場合に、プラントの出力が低下するなどプラント運転に支障を来たすという問題があった。
【０００７】
この発明は上記のような課題を解決するためになされたものであり、プラント運転制御装置からバックアップ用プラント運転制御装置への切替時に、プラント運転制御装置とバックアップ用プラント運転制御装置の操作器のポジションが異なっていることを未然に防止することが可能なプラント運転装置を得ることを目的とするものである。
【課題を解決するための手段】
【０００８】
この発明に係るプラント運転装置は、複数のプラント機器を操作する複数の操作器を有し、これら操作器のポジションのデータを出力するプラント運転制御装置およびバックアップ用プラント運転制御装置、プラント運転制御装置とバックアップ用プラント運転制御装置とを切り替える切替装置、プラント運転制御装置およびバックアップ用プラント運転制御装置から出力される操作器のポジションのデータを入力してその状態を監視する操作器ポジション監視装置を備え、操作器ポジション監視装置は、操作器のポジションデータを保存する保存部と、この保存部で保存したポジションデータを表示する表示装置と、プラント運転制御装置からバックアップ用プラント運転制御装置に切り替え時に、プラント運転制御装置からの操作器ポジションデータとバックアップ用プラント運転制御装置からの操作器ポジションデータが同じか相違するかを判定し、操作器のポジションデータが同じになった時、切替装置に切替許可信号を出力する処理装置とを備えたものである。
【発明の効果】
【０００９】
この発明によれば、バックアップ用プラント運転制御装置の操作器ポジションが通常運転状態以外であることがリアルタイムに把握することができ、また操作器のポジションが相違していた場合は、操作器を操作してそのポジションを同じ状態にした後に、プラント運転制御装置からバックアップ用プラント運転制御装置に切り替えることができるので、バックアップ用プラント運転制御装置への切替時に操作器ポジションが通常運転状態以外となっていることを未然に防止でき、プラント運転に支障を来たすという問題もなくなる。
【発明を実施するための最良の形態】
【００１０】
実施の形態１．
以下、この発明の実施の形態１におけるプラント運転装置を図に基づいて説明する。図１はこの発明の実施の形態１における全体構成図、図２はこの発明に使用される切替装置の切替概念図、図３はこの発明の実施の形態１における表示装置の表示画面の一例を示す図である。
【００１１】
この発明のプラント運転装置は、全体構成図の図１に示すように、通常のプラント運転時に使用されるプラント運転制御装置１と、このプラント運転制御装置１が故障時に切り替え使用されるバックアップ用プラント運転制御装置２と、プラント運転制御装置１とバックアップ用プラント運転制御装置２を切り替える切替装置３と、プラント運転制御装置１とバックアップ用プラント運転制御装置２の各操作器のポジションを監視する操作器ポジション監視装置４で構成される。
【００１２】
プラント運転制御装置１には、ポンプやバルブやヒータなどの複数のプラント機器５を制御する複数の操作器１１（図１には代表的に１個しか示していない）と、これら操作器１１のポジション（起動／停止、開／閉など）のデータを出力して操作器ポジション監視装置４に送る入出力回路１２が設けられている。
またバックアップ用プラント運転制御装置２には、プラント運転制御装置１と同様に、複数のプラント機器５を操作する複数の操作器２１（図１には代表的に１個しか示していない）と、これら操作器２１のポジション（起動／停止、開／閉など）のデータを出力して操作器ポジション監視装置４に送る入出力回路２２が設けられている。
【００１３】
ここでプラント運転制御装置１の操作器１１は操作スイッチをソフトウェア構成とし、１例として起動ボタン１１ａと停止ボタン１１ｂを液晶モニタ等の表示装置に複数のスイッチを選択表示する。バックアップ用プラント運転制御装置２の操作器２１は操作スイッチをハードウェア構成とし、複数のスイッチを設置している。
バックアップ用プラント運転制御装置２の操作器２１を通常運転用のプラント運転制御装置２の操作器１１と同じソフトウェア構成としてもよいが、この実施形態ではバックアップ用プラント運転制御装置２の操作器２１をあえてハードウェア構成としている。その理由は、原子力プラントのように安全性の確保と信頼性が要求されるプラントにおいては、バックアップ用プラント運転制御装置２の操作器２１を通常運転時のプラント運転制御装置１の操作器１１と同様なソフトウェア構成とすると、プラント運転制御装置１が故障した場合、バックアップ用プラント運転制御装置２も同様な故障を起こす確立が高くなり、バックアップの機能が低くなるので、バックアップ用プラント運転制御装置２の操作器２１をハードウェア構成としている。
【００１４】
切替装置３は、プラント運転制御装置１とバックアップ用プラント運転制御装置２とを運転員が切り替える切替スイッチ３１と、操作器ポジション監視装置４から出力される後述する切替許可信号Ｓｋが入力されるとバックアップ用プラント運転制御装置２から切替スイッチ３１を介して出力されるプラント機器５の制御信号を通過させて、プラント機器５の制御をプラント運転制御装置１からバックアップ用プラント運転制御装置２へ切り替える切替回路３２とで構成されている。
【００１５】
操作器ポジション監視装置４は、プラント運転制御装置１とバックアップ用プラント運転制御装置２から出力される操作器のポジションのデータを入力する入出力回路４１と、この入出力回路４１から出力される操作器のポジションデータを蓄積するメモリなどのポジションデータ保存部４２と、このポジションデータ保存部４２で保存したポジションデータを表示する液晶パネルなどの表示装置４３と、プラント運転制御装置１からバックアップ用プラント運転制御装置２に切り替え時に、プラント運転制御装置１からの操作器ポジションデータとバックアップ用プラント運転制御装置２からの操作器ポジションデータが同じか相違するかを判定し、操作器のポジションデータが同じになった時、切替装置３の切替回路３２に入出力回路４１を介して切替許可信号Ｓｋを出力する処理装置４４とで構成されている。
【００１６】
次にこの発明の実施の形態１のプラント運転装置の動作を図１〜図３に基づいて説明する。図２は切替装置３の論理的な切替概念を示し、ＡＮＤ回路とＯＲ回路で構成されている。図３は表示装置４３に表示される表示画面の一例である。
まず、プラント運転制御装置１により通常運転される場合について説明する。運転員が切替装置３の切替スイッチ３１を図示のようにプラント運転制御装置１側に切換える。次にプラント機器５のポンプを起動するもの及びバルブを開にするものに対してはプラント運転制御装置１の操作器１１の起動ボタン１１ａを押す。プラント機器５のポンプを停止するもの及びバルブを閉にするものに対しては操作器１１の停止ボタン１１ｂを押す。
【００１７】
こうして切替装置３は図２に示すように、プラント運転制御装置１の操作器１１から操作信号が出力され、且つ切替スイッチ３１がプラント運転制御装置１側に選択されていることから、図２の上部のＡＮＤ回路からＯＲ回路を介してプラント運転制御装置１の操作器出力が出力され、プラント機器５に対して操作指令を出力する。
なお、プラント運転制御装置１による通常運転時は切替装置３の切替回路３２は有効となっており、処理装置４４からの切替許可信号Ｓｋの有無に関係なく、切替スイッチ３１からの信号が出力されるようになっている。
【００１８】
プラント運転制御装置１によるプラント機器５の運転が行なわれている場合、プラント運転制御装置１の操作器１１のポジションデータ（起動／停止、開／閉など）は、入出力回路１２を介して操作器ポジション監視装置４の入出力回路４１にリアルタイムに入力され、ポジションデータ保存部４２に保存される。
一方、バックアップ用プラント運転制御装置２は常に電源が入れられており、その健全性を確認するため、定期的にバックアップ用プラント運転制御装置２によりプラント機器５（ヒータ、弁、ポンプなど）の操作器２１を操作し、その時の操作器の状態も監視している。そのときのバックアップ用プラント運転制御装置２の操作器２１のポジションデータ（起動／停止、開／閉など）が入出力回路２２を介して操作器ポジション監視装置４の入出力回路４１にリアルタイムに入力され、ポジションデータ保存部４２に保存される。
【００１９】
表示装置４３はポジションデータ保存部４２に保存されている操作器ポジションのデータをプラント機器５毎に図３に示すようにリアルタイムに表示する。即ち、図３はプラント機器５をＴａｇ．Ｎｏとポンプやバルブ等の名称で示し、操作器ポジションを通常運転用のプラント運転制御装置１とバックアップ用のプラント運転制御装置２とを比較して示している。図３の場合、ポンプＢとバルブＡにおいてバックアップ用のプラント運転制御装置２の操作器２２のポジションが通常運転状態と異なることを示している。こうして運転員はバックアップ用プラント運転制御装置２の操作器ポジションが通常運転状態以外であることが、どのプラント機器５であるかをリアルタイムに把握することができる。
【００２０】
次に、プラント運転制御装置１が故障し、プラント運転制御装置１からバックアップ用プラント運転制御装置２に切り替える場合について説明する。
バックアップ用プラント運転制御装置２に切替した時点で操作器のポジションが通常運転状態以外であった場合に、プラント運転への影響が発生する可能性があるため、これを未然に防止する必要がある。
このためこの発明は、バックアップ用プラント運転制御装置２への切替時に、操作器のポジションが通常運転状態と全て同じになった状態で、プラント運転制御装置１からバックアップ用プラント運転制御装置２に切り替わるようにしたものである。
【００２１】
まず、切替装置３の切替スイッチ３１を図示からバックアップ用プラント運転制御装置２側に切換える。この時点では、操作器のポジションが通常運転状態と異なる場合は、操作器ポジション監視装置４から切替許可信号Ｓｋが出力されていないので、切替装置３からバックアップ用プラント運転制御装置２からの操作器指令はプラント機器５に出力されない。
バックアップ用プラント運転制御装置２に切替時に、運転員は表示装置４３に表示された操作器ポジション状態から通常運転状態とバックアップ状態とで異なるプラント機器５を把握し、通常運転状態と異なるプラント機器５の操作器２１を操作して通常運転状態と同じ状態にする。例えば図３の表示状態はポンプＢとバルブＡが通常運転状態とバックアップ状態とで異なるため、ポンプＢとバルブＡの操作器２１を操作して通常運転状態と同じ状態にする。
【００２２】
こうして全てのプラント機器５の操作器２１のポジションが通常運転状態と同じになったとき、操作器ポジション監視装置４の処理装置４４は切替許可信号Ｓｋを出力する。この切替許可信号Ｓｋは入出力回路４１から切替装置３の切替回路３２に入力される。
切替装置３は図２に示すように、バックアップ用プラント運転制御装置２の操作器２１から操作信号が出力され、切替スイッチ３１がバックアップ用プラント運転制御装置２側に選択され、且つ処理装置４４から切替許可信号Ｓｋが出力されていることから、図２の下部のＡＮＤ回路からＯＲ回路を介してバックアップ用プラント運転制御装置２の操作器よりプラント機器５に対して操作指令を出力する。切替許可信号Ｓｋは切替スイッチ３１がバックアップ用プラント運転制御装置２側に選択されている間はＨＯＬＤ回路にて信号が保持され、バックアップ用プラント運転制御装置２側に選択されなくなった場合はＮＯＴ回路にて切替許可信号Ｓｋの信号の保持を解除する。
【００２３】
なお、表示装置４３に表示される操作器ポジション状態が通常運転状態とバックアップ状態とで同じ場合と異なる場合とで文字の色を変える（状態が同じ場合は黒字、状態が異なる場合は赤字など）ように表示すると、運転員は通常運転状態とバックアップ状態とで異なるプラント機器５を簡単に把握することが出来る。
以上のようにこの発明の実施形態１によれば、運転員はバックアップ用プラント運転制御装置２の操作器ポジションが通常運転状態以外であることがリアルタイムに把握することができ、またバックアップ用プラント運転制御装置２の操作器ポジションが通常運転状態以外にあった場合は、バックアップ用プラント運転制御装置２に切換えることが出来ないため、プラント出力低下等の影響を回避することが可能となる。
【００２４】
実施の形態２．
次に、この発明の実施の形態２におけるプラント運転装置を図に基づいて説明する。図４はこの発明の実施の形態２における全体構成図、図５はこの発明の実施の形態２における表示装置の表示画面の一例を示す図である。
【００２５】
図４に示す全体構成図において、操作器ポジション監視装置４の処理装置４４は、操作器ポジションデータがプラント運転制御装置１とバックアップ用プラント運転制御装置２とで同じか相違するかを判定し、操作器のポジションデータが同じになった時、切替装置３の切替回路３２に切替許可信号Ｓｋを出力すると共に、その判定結果を表示装置４３に出力するようにしたものである。また、処理装置４４から切替許可信号Ｓｋが出力された時に、バックアップ用プラント運転制御装置２に切替許可の表示を行なう切替許可表示灯２３を設けたものである。
その他の構成は図１に示す実施の形態１と同じ構成につき、同じ符号を付してその説明を省略する。
【００２６】
次にこの発明の実施の形態２のプラント運転装置の動作を図４、図５に基づいて説明する。
プラント運転制御装置１により通常運転される場合については実施の形態１と同じである。プラント運転制御装置１が故障し、プラント運転制御装置１からバックアップ用プラント運転制御装置２に切り替える場合について説明する。
まず、切替装置３の切替スイッチ３１を図示からバックアップ用プラント運転制御装置２側に切換える。この時点では、操作器のポジションが通常運転状態と異なる場合は、操作器ポジション監視装置４から切替許可信号Ｓｋが出力されていないので、切替装置３からバックアップ用プラント運転制御装置２からの操作器指令はプラント機器５に出力されない。
【００２７】
表示装置４３には処理装置４４から操作器ポジションデータがプラント運転制御装置１とバックアップ用プラント運転制御装置２とで同じか相違するかの判定結果が入力されている。したがって表示装置４３の表示画面には、図５に示すようにプラント機器５毎に、ポジションデータが同じ場合には「ＯＫ」、相違する場合には「ＮＧ」という判定結果が表示されている。
運転員はバックアップ用プラント運転制御装置２に切替時に、表示装置４３に表示された操作器ポジションの判定結果から「ＮＧ」のプラント機器５を把握し、通常運転状態と異なるプラント機器５の操作器２１を操作して通常運転状態と同じ状態にする。例えば図５の表示状態はポンプＢとバルブＡが通常運転状態とバックアップ状態とで異なるため、ポンプＢとバルブＡの操作器２１を操作して通常運転状態と同じ状態にする。
【００２８】
こうして全てのプラント機器５の操作器２１のポジションが通常運転状態と同じになったとき、操作器ポジション監視装置４の処理装置４４は切替許可信号Ｓｋを出力する。この切替許可信号Ｓｋは入出力回路４１から切替装置３の切替回路３２に入力される。
また、処理装置４４からの切替許可信号Ｓｋはバックアップ用プラント運転制御装置２にも出力され、切替許可表示灯２３に切替許可の表示を点灯する。
切替装置３は実施の形態１と同様に、バックアップ用プラント運転制御装置２の操作器２１から制御信号が出力され、切替スイッチ３１がバックアップ用プラント運転制御装置２側に選択され、且つ処理装置４４から切替許可信号Ｓｋが出力されていることから、バックアップ用プラント運転制御装置２の操作器よりプラント機器５に対して操作指令を出力する。
【００２９】
なお、表示装置４３に表示される判定結果において、「ＮＧ」の場合は「ＯＫ」の場合と異なる色の文字（ＯＫは黒、ＮＧは赤など）で表示すると、運転員は通常運転状態とバックアップ状態とで異なるプラント機器５を簡単に把握することが出来る。
以上のようにこの発明の実施形態２によれば、運転員は表示装置４３に表示された判定結果を見るだけで、バックアップ用プラント運転制御装置２の操作器ポジションが通常運転状態以外であることが簡単に把握でき、またバックアップ用プラント運転制御装置２の切替許可表示灯２３を確認することで、バックアップ用プラント運転制御装置２に切換可能状態の確認作業時間を短縮できる。
【００３０】
実施の形態３．
次に、この発明の実施の形態３におけるプラント運転装置を図に基づいて説明する。図６はこの発明の実施の形態３における全体構成図、図７はこの発明の実施の形態３における表示装置の表示画面の一例を示す図である。
実施の形態２では表示装置４３の表示画面にはプラント機器全体の操作器ポジションを表示していたが、実施の形態３では処理装置４４がプラント運転制御装置１とバックアップ用プラント運転制御装置２とで操作器ポジションが相違する操作器のみを抽出し、表示装置４３は相違する操作器のみを表示するようにしたものである。
【００３１】
図６に示す全体構成図おいて、処理装置４４は操作器ポジションがプラント運転制御装置１とバックアップ用プラント運転制御装置２とで同じか相違するかの判定を行い、そのうち相違する操作器のみを抽出する抽出部４４ａを有し、抽出部４４ａで抽出された操作器を判定結果と共に表示装置４３に出力している。表示装置４３は処理装置４４により判定結果が「ＮＧ」となった操作器のみを、図７に示すように表示画面として表示する。その他の構成は図４に示す実施の形態２と同じ構成につき、同じ符号を付してその説明を省略する。
【００３２】
次にこの発明の実施の形態４のプラント運転装置の動作を図６、図７に基づいて説明する。
プラント運転制御装置１により通常運転される場合については実施の形態１と同じである。プラント運転制御装置１が故障し、プラント運転制御装置１からバックアップ用プラント運転制御装置２に切り替える場合について説明する。
まず、切替装置３の切替スイッチ３１を図示からバックアップ用プラント運転制御装置２側に切換える。この時点では、操作器のポジションが通常運転状態と異なる場合は、操作器ポジション監視装置４から切替許可信号Ｓｋが出力されていないので、切替装置３からバックアップ用プラント運転制御装置２からの操作器指令はプラント機器５に出力されない。
【００３３】
表示装置４３には処理装置４４の抽出部４４ａから操作器ポジションがプラント運転制御装置１とバックアップ用プラント運転制御装置２とで相違する操作器のみの判定結果が入力されている。したがって表示装置４３の表示画面には、図７に示すように操作器ポジションが相違するプラント機器の操作器名称と操作器ポジションと判定結果「ＮＧ」という表示がされている。
運転員はバックアップ用プラント運転制御装置２に切替時に、表示装置４３に表示された「ＮＧ」のプラント機器５の操作器を把握し、通常運転状態と異なるプラント機器５の操作器２１を操作して通常運転状態と同じ状態にする。
【００３４】
その後、実施の形態２と同じように、全てのプラント機器５の操作器２１のポジションが通常運転状態と同じになったとき、操作器ポジション監視装置４の処理装置４４から切替許可信号Ｓｋが出力され、切替許可表示灯２３に切替許可の表示を点灯する。そして切替装置３からバックアップ用プラント運転制御装置２の操作器よりプラント機器５に対して操作指令を出力する。
【００３５】
以上のようにこの発明の実施形態３によれば、運転員は表示装置４３に表示された画面を見るだけで、通常運転状態と異なる操作器を簡単に把握でき、またバックアップ用プラント運転制御装置２の切替許可表示灯２４を確認することで、バックアップ用プラント運転制御装置２に切換可能状態の確認作業時間を短縮できる。
【００３６】
実施の形態４．
次に、この発明の実施の形態４におけるプラント運転装置を図に基づいて説明する。図８はこの発明の実施の形態４における全体構成図、図９はこの発明の実施の形態４における表示装置の表示画面の一例を示す図である。
【００３７】
図８に示す全体構成図において、操作器ポジション監視装置４の処理装置４４は操作器の重要度に応じて分類する重要度分類部４４ｂを有し、抽出部４４ａでプラント運転制御装置１とバックアップ用プラント運転制御装置２とで操作器ポジションデータが相違して判定結果が「ＮＧ」となって抽出された操作器について、それを重要度に分類して表示装置４３に出力している。また、処理装置４４は操作器ポジションデータがプラント運転制御装置１とバックアップ用プラント運転制御装置２とで相違して、判定結果が「ＮＧ」となった操作器のうち、重要度が高い操作器があった場合に、バックアップ用プラント運転制御装置２に設けた警報手段としての警報窓２４に警報信号を出力するようにしている。
その他の構成は図６に示す実施の形態３と同じ構成につき、同じ符号を付してその説明を省略する。
【００３８】
次にこの発明の実施の形態４のプラント運転装置の動作を図８、図９に基づいて説明する。
プラント運転制御装置１により通常運転される場合については実施の形態１と同じである。プラント運転制御装置１が故障し、プラント運転制御装置１からバックアップ用プラント運転制御装置２に切り替える場合について説明する。
まず、切替装置３の切替スイッチ３１を図示からバックアップ用プラント運転制御装置２側に切換える。この時点では、操作器のポジションが通常運転状態と異なる場合は、操作器ポジション監視装置４から切替許可信号Ｓｋが出力されていないので、切替装置３からバックアップ用プラント運転制御装置２からの操作器指令はプラント機器５に出力されない。
【００３９】
表示装置４３には、処理装置４４の抽出部４４ａで操作器ポジションがプラント運転制御装置１とバックアップ用プラント運転制御装置２とで相違する操作器のみ抽出され、更に処理装置４４の重要度分類部４４ｂで操作器を重要度に分類して入力されている。したがって表示装置４３の表示画面には、図９に示すように操作器ポジションが相違するプラント機器の操作器名称と操作器ポジションと判定結果「ＮＧ」が重要度に分類され、重要度が高い順（ランク１からランク３）に表示されている。しかも重要度が高い順にランク１は赤、ランク２は黄、ランク３は緑と色を分けて表示されている。
また重要度が高い（ランク１の赤表示）操作器があった場合は、入出力回路４１、入出力回路２２を介してバックアップ用プラント運転制御装置２に設けた警報窓２４のうち、操作器ポジションが通常位置以外を示す表示個所２４ａを点灯するなどして警報出力する。
【００４０】
運転員はバックアップ用プラント運転制御装置２に切替時に、表示装置４３に表示された「ＮＧ」のプラント機器５の操作器を把握し、通常運転状態と異なるプラント機器５の操作器２１を重要度が高い順番に操作して通常運転状態と同じ状態にする。
その後、実施の形態２と同じように、全てのプラント機器５の操作器２１のポジションが通常運転状態と同じになったとき、操作器ポジション監視装置４の処理装置４４から切替許可信号Ｓｋが出力され、切替許可表示灯２３に切替許可の表示を点灯する。そして切替装置３からバックアップ用プラント運転制御装置２の操作器よりプラント機器５に対して操作指令を出力する。
【００４１】
以上のようにこの発明の実施形態４によれば、運転員は表示装置４３に表示された画面から通常運転状態と異なる重要度が高い操作器を簡単に把握でき、その重要度が高い操作器を即時に切替が実施可能となり、またバックアップ用プラント運転制御装置２の警報窓２４を確認することで、重要度が高い操作器が通常運転状態と異なることが分かる。
【図面の簡単な説明】
【００４２】
【図１】この発明の実施の形態１における全体構成図である。
【図２】この発明に使用される切替装置の切替概念図である。
【図３】この発明の実施の形態１における表示装置の表示画面の一例を示す図である。
【図４】この発明の実施の形態２における全体構成図である。
【図５】この発明の実施の形態２における表示装置の表示画面の一例を示す図である。
【図６】この発明の実施の形態３における全体構成図である。
【図７】この発明の実施の形態３における表示装置の表示画面の一例を示す図である。
【図８】この発明の実施の形態４における全体構成図である。
【図９】この発明の実施の形態４における表示装置の表示画面の一例を示す図である。
【符号の説明】
【００４３】
１：プラント運転制御装置            ２：バックアップ用プラント運転制御装置
３：切替装置                        ４：操作器ポジション監視装置
５：プラント機器
１１：操作器                        １２：入出力回路
２１：操作器                        ２２：入出力回路
２３：切替許可表示灯                ２４：警報窓
３１：切替スイッチ                  ３２：切替回路
４１：入出力回路                    ４２：ポジションデータ保存部
４３：表示装置                      ４４：処理装置
４４ａ：抽出部                      ４４ｂ：重要度分類部
Ｓｋ：切替許可信号。
【図１】
2010102566.tif 000003
【図２】
2010102566.tif 000004
【図３】
2010102566.tif 000005
【図４】
2010102566.tif 000006
【図５】
2010102566.tif 000007
【図６】
2010102566.tif 000008
【図７】
2010102566.tif 000009
【図８】
2010102566.tif 000010
【図９】
2010102566.tif 000011